(57)【特許請求の範囲】
【請求項１】
衣服に装着されたウエアラブルデバイスにモジュールを電気的に接続するためのスライド型コネクタであって、
衣服に取り付けられる衣服側コネクタ部と、嵌合面上で前記衣服側コネクタ部に嵌合するモジュール側コネクタ部とを備え、
前記衣服側コネクタ部は、前記嵌合面に沿って延びる板状の衣服側コネクタ本体と、前記衣服側コネクタ本体に配置され且つそれぞれ前記嵌合面に平行な接触面を有する複数の板状の第１接点部と、前記嵌合面に平行なロック面を有するロック部とを有し、
前記モジュール側コネクタ部は、前記衣服側コネクタ部の前記複数の板状の接点部に対応し且つそれぞれ前記嵌合面に直交する方向に変位可能な複数のバネ状の第２接点部と、前記嵌合面に平行に延びる被ロック部とを有し、
前記モジュール側コネクタ部を前記衣服側コネクタ部に重ね合わせて第１の位置から第２の位置まで前記嵌合面に沿ってスライドさせることにより、前記複数の第２接点部が前記複数の第１接点部の前記接触面にそれぞれ接触して導通し、前記被ロック部が前記ロック部の前記ロック面に接触して、前記モジュール側コネクタ部が前記衣服側コネクタ部に嵌合し、
前記衣服側コネクタ本体は、前記嵌合面を形成する表面を有し且つ前記表面上に前記接触面が配置されるように前記複数の第１接点部を保持する板状のベース部材と、中央に開口部が形成された枠形状を有して前記ベース部材の前記表面との間に前記衣服の布を挟んだ状態で前記ベース部材の前記表面の外縁に取り付けられ且つ前記ベース部材の前記表面に対向する前記ロック面が形成された枠部材とを有し、
前記複数の第１接点部の前記接触面は、前記枠部材の前記開口部を通して露出され、
前記ベース部材の前記表面の外縁と前記ロック面により前記ロック部が形成され、
前記モジュール側コネクタ部は、前記枠部材の前記開口部内で前記ベース部材の前記表面に沿ってスライドすることを特徴とするスライド型コネクタ。
【請求項２】
前記複数の第１接点部は、それぞれ、前記接触面に連続して接続され且つ前記接触面よりも前記モジュール側コネクタ部から離れる方向に傾斜する傾斜面を有し、
前記モジュール側コネクタ部が前記第１の位置に位置するときには、前記複数の第２接点部は前記複数の第１接点部に接触せず、前記モジュール側コネクタ部を前記第１の位置から前記第２の位置に向けて前記嵌合面に平行にスライドさせる際に、前記複数の第２接点部は前記複数の第１接点部の前記傾斜面に接触した後、前記嵌合面に直交する方向に変位しながら前記複数の第１接点部の前記接触面に接触する請求項１に記載のスライド型コネクタ。
【請求項３】
前記ロック部は、前記複数の第１接点部よりも前記衣服側コネクタ部の外縁側に配置され、
前記被ロック部は、前記複数の第２接点部よりも前記モジュール側コネクタ部の外縁側に配置されている請求項１または２に記載のスライド型コネクタ。
【請求項４】
前記複数の第１接点部および前記複数の第２接点部は、それぞれ、前記嵌合面に平行な面上に円または円弧を描くように配列され、
前記モジュール側コネクタ部を前記衣服側コネクタ部に対して前記円または前記円弧の中心の回りに回転スライドさせることにより、前記モジュール側コネクタ部が前記衣服側コネクタ部に嵌合する請求項１〜３のいずれか一項に記載のスライド型コネクタ。
【請求項５】
前記複数の第１接点部および前記複数の第２接点部は、それぞれ、前記嵌合面に平行な面上に直線状に配列され、
前記モジュール側コネクタ部を前記衣服側コネクタ部に対して直線的にスライドさせることにより、前記モジュール側コネクタ部が前記衣服側コネクタ部に嵌合する請求項１〜３のいずれか一項に記載のスライド型コネクタ。
【請求項６】
前記複数の第１接点部は、それぞれ、前記ベース部材の外縁まで延びる外部接続部を有し、
前記衣服の布は、前記複数の第１接点部に対応する複数の配線部を有し、
前記複数の配線部は、前記衣服の布が前記ベース部材の前記表面と前記枠部材との間に挟まれることで、前記複数の第１接点部の前記外部接続部に接触して電気的に接続される請求項１〜５のいずれか一項に記載のスライド型コネクタ。
【発明の詳細な説明】
【技術分野】
【０００１】
この発明は、スライド型コネクタに係り、特に、ウエアラブルデバイスに接続されるスライド型コネクタに関する。
【背景技術】
【０００２】
近年、各種センサ、通信装置等の端末機器をユーザの身体に装着した状態で動作させる、いわゆるウエアラブルデバイスが注目を浴びている。このウエアラブルデバイスでは、検出した情報を送出したり、電力の供給を受けるために、例えば、測定装置、電源装置等のデバイスに電気的に接続して使用される。この接続は、衣服に取り付けられたコネクタを介して行うことができるが、ウエアラブルデバイスの着脱時および衣服の洗濯時等には、コネクタによる接続を切り離す必要がある。
このため、例えば、特許文献１に開示されているように、スナップボタン型コネクタを用いてデバイス間の接続が行われている。
【０００３】
特許文献１に開示されたスナップボタン型コネクタは、図３１に示されるように、第１の布１に取り付けられた雄型スナップボタン２と、第２の布３に取り付けられた雌型スナップボタン４を有している。第１の布１および第２の布３は、導電性を有する布から構成され、雄型スナップボタン２および雌型スナップボタン４は、導電性を有する材料から形成されている。雄型スナップボタン２の凸部５が、雌型スナップボタン４の凹部６に挿入されて雌型スナップボタン４の２本の棒状ばね７で押さえられることにより、雄型スナップボタン２と雌型スナップボタン４が互いに電気的に接続され、これら雄型スナップボタン２および雌型スナップボタン４を介して第１の布１と第２の布３が互いに電気的に接続されることとなる。
【０００４】
このようなスナップボタン型コネクタを用いてウエアラブルデバイスの接続を行うことができ、また、ウエアラブルデバイスの着脱時および衣服の洗濯時等には、雄型スナップボタン２を雌型スナップボタン４から取り外してスナップボタン型コネクタによる接続を切り離すことができる。
【先行技術文献】
【特許文献】
【０００５】
【特許文献１】特開２０１５−１３５７２３号公報
【発明の概要】
【発明が解決しようとする課題】
【０００６】
しかしながら、特許文献１のスナップボタン型コネクタは、雄型スナップボタン２の全体および雌型スナップボタン４の全体が、それぞれ１つの電極として機能するため、複数の配線を接続しようとすると、配線数と同数のスナップボタン型コネクタを衣服に取り付けなければならず、ウエアラブルデバイスの小型化を損なうこととなる。
また、第１の布１と第２の布３を電気的に接続するものであるため、コネクタは薄型であることが必要となるが、特許文献１のスナップボタン型コネクタは、雄型スナップボタン２の凸部５を雌型スナップボタン４の凹部６に、衣服の表面とは直交する方向に嵌め込む構造を有しているので、薄型にするには不利な構造である。
さらに、第１の布１と第２の布３を電気的に接続する際には、衣服の上から身体に向かって雄型スナップボタン２あるいは雌型スナップボタン４を強く押し付ける必要があるため、身体に負荷がかかって不便である。
【０００７】
この発明は、このような従来の問題点を解消するためになされたもので、ウエアラブルデバイスの小型化および薄型化を達成すると共に接続時に身体にかかる負荷を軽減することができるスライド型コネクタを提供することを目的とする。
【課題を解決するための手段】
【０００８】
この発明に係るスライド型コネクタは、衣服に装着されたウエアラブルデバイスにモジュールを電気的に接続するためのスライド型コネクタであって、衣服に取り付けられる衣服側コネクタ部と、嵌合面上で衣服側コネクタ部に嵌合するモジュール側コネクタ部とを備え、衣服側コネクタ部は、嵌合面に沿って延びる板状の衣服側コネクタ本体と、衣服側コネクタ本体に配置され且つそれぞれ嵌合面に平行な接触面を有する複数の板状の第１接点部と、嵌合面に平行なロック面を有するロック部とを有し、モジュール側コネクタ部は、衣服側コネクタ部の複数の板状の接点部に対応し且つそれぞれ嵌合面に直交する方向に変位可能な複数のバネ状の第２接点部と、嵌合面に平行に延びる被ロック部とを有し、モジュール側コネクタ部を衣服側コネクタ部に重ね合わせて第１の位置から第２の位置まで嵌合面に沿ってスライドさせることにより、複数の第２接点部が複数の第１接点部の接触面にそれぞれ接触して導通し、被ロック部がロック部のロック面に接触して、モジュール側コネクタ部が衣服側コネクタ部に嵌合し、衣服側コネクタ本体は、嵌合面を形成する表面を有し且つ表面上に接触面が配置されるように複数の第１接点部を保持する板状のベース部材と、中央に開口部が形成された枠形状を有してベース部材の表面との間に衣服の布を挟んだ状態でベース部材の表面の外縁に取り付けられ且つベース部材の表面に対向するロック面が形成された枠部材とを有し、複数の第１接点部の接触面は、枠部材の開口部を通して露出され、ベース部材の表面の外縁とロック面によりロック部が形成され、モジュール側コネクタ部は、枠部材の開口部内でベース部材の表面に沿ってスライドするものである。
【０００９】
複数の第１接点部は、それぞれ、接触面に連続して接続され且つ接触面よりもモジュール側コネクタ部から離れる方向に傾斜する傾斜面を有し、モジュール側コネクタ部が第１の位置に位置するときには、複数の第２接点部は複数の第１接点部に接触せず、モジュール側コネクタ部を第１の位置から第２の位置に向けて嵌合面に平行にスライドさせる際に、複数の第２接点部は複数の第１接点部の傾斜面に接触した後、嵌合面に直交する方向に変位しながら複数の第１接点部の接触面に接触することが好ましい。
また、ロック部は、複数の第１接点部よりも衣服側コネクタ部の外縁側に配置され、被ロック部は、複数の第２接点部よりもモジュール側コネクタ部の外縁側に配置されていることが好ましい。
【００１０】
複数の第１接点部および複数の第２接点部は、それぞれ、嵌合面に平行な面上に円または円弧を描くように配列され、モジュール側コネクタ部を衣服側コネクタ部に対して円または円弧の中心の回りに回転スライドさせることにより、モジュール側コネクタ部が衣服側コネクタ部に嵌合するように構成することができる。
あるいは、複数の第１接点部および複数の第２接点部は、それぞれ、嵌合面に平行な面上に直線状に配列され、モジュール側コネクタ部を衣服側コネクタ部に対して直線的にスライドさせることにより、モジュール側コネクタ部が衣服側コネクタ部に嵌合するように構成することもできる。
【００１１】
複数の第１接点部は、それぞれベース部材の外縁まで延びる外部接続部を有し、衣服の布は、複数の第１接点部に対応する複数の配線部を有し、複数の配線部は、衣服の布がベース部材の表面と枠部材との間に挟まれることで、複数の第１接点部の外部接続部に接触して電気的に接続されることが好ましい。
【発明の効果】
【００１２】
この発明によれば、モジュール側コネクタ部を衣服側コネクタ部に重ね合わせて第１の位置から第２の位置まで嵌合面に沿ってスライドさせることで、モジュール側コネクタ部の複数のバネ状の第２接点部が衣服側コネクタ部の複数の板状の第１接点部にそれぞれ接触して導通し、モジュール側コネクタ部の被ロック部が衣服側コネクタ部のロック部のロック面に接触して、モジュール側コネクタ部が衣服側コネクタ部に嵌合するので、ウエアラブルデバイスの小型化および薄型化を達成すると共に接続時に身体にかかる負荷を軽減することが可能となる。
【図面の簡単な説明】
【００１３】
【図１】嵌合前の実施の形態１に係るスライド型コネクタを示す斜視図である。
【図２】実施の形態１に係るスライド型コネクタに用いられた衣服側コネクタ部を示し、（Ａ）は平面図、（Ｂ）は側面図、（Ｃ）は底面図である。
【図３】実施の形態１における衣服側コネクタ部のベース部材を示す斜視図である。
【図４】実施の形態１における衣服側コネクタ部のベース部材に保持される複数の第１接点部を示す斜視図である。
【図５】第１接点部を示し、（Ａ）は拡大斜視図、（Ｂ）は拡大側面図である。
【図６】実施の形態１における衣服側コネクタ部の枠部材を示す斜視図である。
【図７】実施の形態１における衣服側コネクタ部の枠部材を示す底面図である。
【図８】実施の形態１における衣服側コネクタ部のベース部材と枠部材を衣服の布に取り付ける状態を示す斜視図である。
【図９】実施の形態１における衣服側コネクタ部の部分拡大断面図である。
【図１０】実施の形態１におけるモジュール側コネクタ部を示す断面図である。
【図１１】実施の形態１におけるモジュール側コネクタ部を示す底面図である。
【図１２】実施の形態１において互いに位置合わせされたモジュール側コネクタ部および衣服側コネクタ部を示す部分断面図である。
【図１３】実施の形態１においてモジュール側コネクタ部を衣服側コネクタ部に重ね合わせた状態を示す斜視図である。
【図１４】実施の形態１においてモジュール側コネクタ部を衣服側コネクタ部に重ね合わせたときの第１接点部と第２接点部の位置関係を示す部分断面図である。
【図１５】実施の形態１においてモジュール側コネクタ部を衣服側コネクタ部に重ね合わせたときのロック部と被ロック部の位置関係を示す部分断面図である。
【図１６】実施の形態１においてモジュール側コネクタ部を衣服側コネクタ部に対して回転スライドさせたときの第１接点部と第２接点部の位置関係を示す部分断面図である。
【図１７】嵌合時の実施の形態１に係るスライド型コネクタを示す斜視図である。
【図１８】実施の形態１における嵌合時の第１接点部と第２接点部の位置関係を示す部分断面図である。
【図１９】実施の形態１における嵌合時のロック部と被ロック部の位置関係を示す部分断面図である。
【図２０】実施の形態２に係るスライド型コネクタの衣服側コネクタ部の第１接点部を示す拡大側面図である。
【図２１】実施の形態２に係るスライド型コネクタのモジュール側コネクタ部を示す断面図である。
【図２２】実施の形態２に係るスライド型コネクタのモジュール側コネクタ部を示す底面図である。
【図２３】実施の形態２において互いに位置合わせされたモジュール側コネクタ部および衣服側コネクタ部を示す部分断面図である。
【図２４】実施の形態２においてモジュール側コネクタ部を衣服側コネクタ部に重ね合わせたときの第１接点部と第２接点部の位置関係を示す部分断面図である。
【図２５】実施の形態２においてモジュール側コネクタ部を衣服側コネクタ部に対して回転スライドさせたときの第１接点部と第２接点部の位置関係を示す部分断面図である。
【図２６】実施の形態２における嵌合時の第１接点部と第２接点部の位置関係を示す部分断面図である。
【図２７】嵌合前の実施の形態３に係るスライド型コネクタを示す斜視図である。
【図２８】実施の形態３において互いに重ね合わされたモジュール側コネクタ部および衣服側コネクタ部を示す平面図である。
【図２９】実施の形態３においてモジュール側コネクタ部を衣服側コネクタ部に対して直線的にスライドさせた状態を示す平面図である。
【図３０】嵌合時の実施の形態３に係るスライド型コネクタを示す斜視図である。
【図３１】従来のスナップボタン型コネクタを示す断面図である。
【発明を実施するための形態】
【００１４】
以下、この発明の実施の形態を添付図面に基づいて説明する。
実施の形態１
図１に実施の形態１に係るスライド型コネクタの構成を示す。スライド型コネクタは、衣服に取り付けられる衣服側コネクタ部１１と、衣服側コネクタ部１１に嵌合するモジュール側コネクタ部３１を備えている。
【００１５】
図２に示されるように、衣服側コネクタ部１１は、円板形状の衣服側コネクタ本体１２と、衣服側コネクタ本体１２に配置された複数の第１接点部１３と、衣服側コネクタ本体１２に形成された複数のロック部１４を有している。
衣服側コネクタ本体１２は、円板形状のベース部材１５と、ベース部材１５の表面１５Ａの外縁に取り付けられている枠部材１６から形成されている。枠部材１６は、中央に開口部１７が形成された円形の枠形状を有し、複数の第１接点部１３は、それぞれ一部が枠部材１６の開口部１７を通してベース部材１５の表面１５Ａ上に露出し、ベース部材１５の裏面１５Ｂには露出しないように配置されている。また、複数のロック部１４は、複数の第１接点部１３よりも衣服側コネクタ部１１の外縁側に位置し、枠部材１６の内周縁に沿って周方向に配列されている。
【００１６】
ベース部材１５を図３に示す。ベース部材１５には、図４に示されるように、複数の第１接点部１３が、円を描くように周方向に配列された状態で保持されている。それぞれの第１接点部１３は、図５（Ａ）に示されるように、ベース部材１５の周方向に沿って延びる周方向伸長部１３Ａと、周方向伸長部１３Ａに連結され且つベース部材１５の径方向に沿って延びる径方向伸長部１３Ｂから形成されている。周方向伸長部１３Ａの一端の表面に、接触面１３Ｃが形成され、この接触面１３Ｃに連続して傾斜面１３Ｄが接続され、周方向伸長部１３Ａの他端には、傾斜面１３Ｄに連続して接続される平坦面１３Ｅが形成されている。
【００１７】
このような周方向伸長部１３Ａの他端に径方向伸長部１３Ｂが連結されている。径方向伸長部１３Ｂは、周方向伸長部１３Ａの他端からベース部材１５の径方向に沿って延び、径方向伸長部１３Ｂの先端に、屈曲形状の外部接続部１３Ｆが形成されている。
図５（Ｂ）に示されるように、接触面１３Ｃは、ベース部材１５の表面１５Ａに平行で且つベース部材１５の表面１５Ａとほぼ同一高さを有し、接触面１３Ｃに連続する傾斜面１３Ｄは、接触面１３Ｃから平坦面１３Ｅに向かうほど低くなるようにベース部材１５の裏面１５Ｂ側に傾斜し、傾斜面１３Ｄに連続する平坦面１３Ｅは、ベース部材１５の表面１５Ａに平行で且つベース部材１５の表面１５Ａよりも裏面１５Ｂ側に下がった位置に位置している。さらに、外部接続部１３Ｆは、ベース部材１５の表面１５Ａよりも高い位置に位置している。
【００１８】
図３に示されるように、それぞれの第１接点部１３の周方向伸長部１３Ａは、ベース部材１５の表面１５Ａ上に露出し、この周方向伸長部１３Ａが、図２（Ａ）に示される、枠部材１６の開口部１７を通した露出部分となる。また、図３に示されるように、それぞれの第１接点部１３の外部接続部１３Ｆは、ベース部材１５の表面１５Ａの外縁の近傍において表面１５Ａから露出して突出し、外部接続部１３Ｆ以外の部分の径方向伸長部１３Ｂは、ベース部材１５に埋設され、ベース部材１５の表面１５Ａに露出していない。
さらに、ベース部材１５の表面１５Ａの外縁の近傍には、ベース部材１５の表面１５Ａから突出する複数の突起１８が形成されており、複数の第１接点部１３の外部接続部１３Ｆと複数の突起１８は、ベース部材１５に枠部材１６を取り付けたときに、枠部材１６により覆われて隠れる位置にある。
【００１９】
図６及び図７に示されるように、枠部材１６には、開口部１７に向かって開くように形成された複数の切り欠き１９が、枠部材１６の内周縁に沿って周方向に配列されている。この切り欠き１９は、枠部材１６の表面１６Ａから裏面１６Ｂまで枠部材１６の厚さ方向の全体にわたって形成されている。また、枠部材１６の裏面１６Ｂには、複数の切り欠き１９に対してそれぞれ周方向に隣接する位置に複数のロック面２０が形成されている。これらのロック面２０は、枠部材１６の内周縁に沿って周方向に配列され、枠部材１６の表面１６Ａと平行で且つ枠部材１６の裏面１６Ｂよりも表面１６Ａ側に位置し、枠部材１６の裏面１６Ｂ側を向いている。
【００２０】
さらに、枠部材１６の裏面１６Ｂには、ベース部材１５の表面１５Ａから突出する複数の第１接点部１３の外部接続部１３Ｆに対応する複数の第1の嵌合孔２１と、ベース部材１５の表面１５Ａから突出する複数の突起１８に対応する複数の第２の嵌合孔２２が形成されている。
このような構成のベース部材１５は、例えば絶縁性樹脂を用いてインサート成形を行うことにより、複数の第１接点部１３と一体に成形することができる。枠部材１６も、絶縁性樹脂から成形することができる。
【００２１】
図８に示されるように、ベース部材１５と枠部材１６の間に衣服の布Ｃを挟んだ状態で、枠部材１６がベース部材１５に取り付けられる。布Ｃには、予め、枠部材１６の開口部１７と同様の大きさの開口部２３が形成されると共に、布Ｃの裏面に、複数の第１接点部１３に対応する複数の配線部２４が形成され、これらの配線部２４が衣服に装着された図示しないウエアラブルデバイスに接続されているものとする。複数の配線部２４は、ベース部材１５の表面１５Ａを布Ｃの裏面に接触させたときに、それぞれの配線部２４の一端がベース部材１５の対応する外部接続部１３Ｆに重なるように、開口部２３の回りに配置されている。
【００２２】
このような布Ｃの複数の配線部２４の一端にベース部材１５の複数の外部接続部１３Ｆがそれぞれ接触するように、布Ｃの裏面にベース部材１５の表面１５Ａを接触させ、また、ベース部材１５に枠部材１６を位置合わせして、布Ｃの表面に枠部材１６の裏面１６Ｂを接触させ、この状態で、枠部材１６をベース部材１５に向けて強く押しつける。これにより、布Ｃを挟んだまま、ベース部材１５の複数の外部接続部１３Ｆおよび複数の突起１８が枠部材１６の複数の第1の嵌合孔２１および複数の第２の嵌合孔２２にそれぞれ嵌合し、布Ｃに衣服側コネクタ部１１が取り付けられる。
このとき、布Ｃの複数の配線部２４は、それぞれ、ベース部材１５の対応する外部接続部１３Ｆに接触した状態で枠部材１６の第1の嵌合孔２１に圧入され、外部接続部１３Ｆに電気導通する。
【００２３】
また、このとき、枠部材１６の複数のロック面２０は、布Ｃの開口部２３を介してベース部材１５の表面１５Ａに対向し、図９に示されるように、枠部材１６のロック面２０とベース部材１５の表面１５Ａとの間にロック部１４が形成される。
なお、複数のロック面２０は、それぞれ、切り欠き１９に隣接する端部に、枠部材１６の裏面１６Ｂ側すなわちベース部材１５側にわずかに突出する段差２５を有している。
【００２４】
モジュール側コネクタ部３１を図１０および図１１に示す。モジュール側コネクタ部３１は、円形の箱状のモジュール側コネクタ本体３２と、それぞれモジュール側コネクタ本体３２の裏面３２Ｂから突出する複数のバネ状の第２接点部３３と、それぞれモジュール側コネクタ本体３２の外周部からモジュール側コネクタ本体３２の裏面３２Ｂに沿って径方向に突出する複数の板状の被ロック部３４を有している。
複数の第２接点部３３は、衣服側コネクタ部１１の複数の第１接点部１３に対応して円を描くようにモジュール側コネクタ本体３２の周方向に配列され、それぞれ、モジュール側コネクタ本体３２の裏面３２Ｂに直交する方向に変位可能に形成されている。
【００２５】
また、複数の被ロック部３４は、衣服側コネクタ部１１の複数のロック部１４に対応すると共に複数の切り欠き１９に対応している。
複数の被ロック部３４は、複数の第２接点部３３よりもモジュール側コネクタ部３１の外縁側に配置されている。
さらに、モジュール側コネクタ本体３２の表面３２Ａに、衣服側コネクタ部１１に対してモジュール側コネクタ部３１を回転させるためのつまみ３５が形成されている。
なお、箱状のモジュール側コネクタ本体３２の内部には、衣服に装着された図示しないウエアラブルデバイスに接続される回路モジュール等が収容されている。
【００２６】
また、衣服側コネクタ部１１において、複数の第１接点部１３、複数のロック部１４、枠部材１６の開口部１７および複数の切り欠き１９は、いずれも同心円状に配置され、モジュール側コネクタ部３１においても、モジュール側コネクタ本体３２の円形の外縁、複数の第２接点部３３および複数の被ロック部３４は、いずれも同心円状に配置されている。さらに、衣服側コネクタ部１１の複数の第１接点部１３が配置されている円の半径と、モジュール側コネクタ部３１の複数の第２接点部３３が配置されている円の半径は、互いに等しい値に設定されている。
そして、モジュール側コネクタ部３１を衣服側コネクタ部１１の枠部材１６の開口部１７内に挿入した状態で、モジュール側コネクタ部３１を衣服側コネクタ部１１の同心円の中心の回りに回転スライドさせることができるように構成されている。
【００２７】
衣服側コネクタ部１１にモジュール側コネクタ部３１を嵌合する際には、まず、モジュール側コネクタ部３１の複数の被ロック部３４が衣服側コネクタ部１１の複数の切り欠き１９の直上に位置するように、衣服側コネクタ部１１とモジュール側コネクタ部３１とを位置合わせする。これにより、図１２に示されるように、モジュール側コネクタ部３１のそれぞれのバネ状の第２接点部３３が、衣服側コネクタ部１１の対応する第１接点部１３の平坦面１３Ｅの直上に位置する。
【００２８】
次に、モジュール側コネクタ部３１を移動させて衣服側コネクタ部１１に重ね合わせ、図１３に示されるように、衣服側コネクタ部１１の複数の切り欠き１９にモジュール側コネクタ部３１の複数の被ロック部３４を挿入する。このとき、図１４に示されるように、モジュール側コネクタ部３１の第２接点部３３は、モジュール側コネクタ本体３２の裏面３２Ｂから下方に突出しているが、衣服側コネクタ部１１の第１接点部１３の平坦面１３Ｅが、ベース部材１５の表面１５Ａよりも裏面１５Ｂ側に下がった位置に位置しているため、モジュール側コネクタ部３１の第２接点部３３は、衣服側コネクタ部１１の第１接点部１３の平坦面１３Ｅに近接するものの接触しない状態、あるいは、第１接点部１３の平坦面１３Ｅに接触したとしても、第２接点部３３が弾性変形しない程度に微かに接触する状態となる。
【００２９】
また、図１５に示されるように、モジュール側コネクタ部３１の被ロック部３４は、衣服側コネクタ部１１の切り欠き１９に挿入され、モジュール側コネクタ本体３２の裏面３２Ｂが衣服側コネクタ部１１のベース部材１５の表面１５Ａに接触する。
これらモジュール側コネクタ本体３２の裏面３２Ｂとベース部材１５の表面１５Ａは、それぞれ、衣服側コネクタ部１１とモジュール側コネクタ部３１を嵌合する際の嵌合面を形成するものである。
このように、衣服側コネクタ部１１の複数の切り欠き１９にモジュール側コネクタ部３１の複数の被ロック部３４を挿入したときのモジュール側コネクタ部３１の回転位置を、図１３に示されるように、第１の位置Ｐ１とする。
【００３０】
モジュール側コネクタ部３１が第１の位置Ｐ１に位置する状態から、モジュール側コネクタ部３１のつまみ３５を操作することにより、衣服側コネクタ部１１に対しモジュール側コネクタ部３１を嵌合面に沿って回転スライドさせると、衣服側コネクタ部１１の第１接点部１３の平坦面１３Ｅの直上に位置していたモジュール側コネクタ部３１のバネ状の第２接点部３３が、第１接点部１３の傾斜面１３Ｄに向かって移動する。そして、図１６に示されるように、モジュール側コネクタ部３１のバネ状の第２接点部３３が衣服側コネクタ部１１の第１接点部１３の傾斜面１３Ｄ上に至ると、傾斜面１３Ｄが平坦面１３Ｅから接触面１３Ｃに向かうほど高くなるように傾斜しているので、バネ状の第２接点部３３は第１接点部１３の傾斜面１３Ｄに接触して次第に弾性変形することとなる。
【００３１】
さらに、モジュール側コネクタ部３１のつまみ３５を操作して、図１７に示されるように、モジュール側コネクタ部３１を第２の位置Ｐ２まで回転スライドさせると、図１８に示されるように、モジュール側コネクタ部３１のバネ状の第２接点部３３が衣服側コネクタ部１１の第１接点部１３の傾斜面１３Ｄから接触面１３Ｃに移動し、弾性変形して第１接点部１３の接触面１３Ｃに所定の接触圧で接触する。これにより、衣服側コネクタ部１１の複数の第１接点部１３とモジュール側コネクタ部３１の複数の第２接点部３３は、互いに電気導通し、衣服側コネクタ部１１とモジュール側コネクタ部３１は嵌合状態となる。
【００３２】
また、モジュール側コネクタ部３１が第２の位置Ｐ２に位置すると、図１９に示されるように、モジュール側コネクタ部３１の被ロック部３４が、衣服側コネクタ部１１のロック面２０とベース部材１５の表面１５Ａとの間に形成されているロック部１４に挿入される。これにより、モジュール側コネクタ部３１が衣服側コネクタ部１１から離れる方向に脱落することが防止され、嵌合状態がロックされる。
【００３３】
さらに、このとき、モジュール側コネクタ部３１の被ロック部３４が、ロック面２０の段差２５よりも奥にまで挿入され、複数の第２接点部３３の弾性変形の反力によりロック面２０に向けて押されている。このため、衣服側コネクタ部１１と嵌合状態にあるモジュール側コネクタ部３１を第２の位置Ｐ２から回転させて第１の位置Ｐ１まで戻そうとしても、被ロック部３４がロック面２０の段差２５に引っ掛かり、ロック状態が保持される。
衣服側コネクタ部１１とモジュール側コネクタ部３１の嵌合を解消するには、モジュール側コネクタ部３１を衣服側コネクタ部１１に向けて押しつけ、被ロック部３４をロック面２０の段差２５よりもベース部材１５の表面１５Ａ側に移動させた状態で、モジュール側コネクタ部３１を第１の位置Ｐ１へと回転スライドさせればよい。
【００３４】
このように、モジュール側コネクタ部３１を衣服側コネクタ部１１に重ね合わせて第１の位置Ｐ１から第２の位置Ｐ２まで嵌合面に沿って回転スライドさせるだけで、モジュール側コネクタ部３１の複数のバネ状の第２接点部３３が衣服側コネクタ部１１の複数の板状の第１接点部１３にそれぞれ接触して導通し、また、モジュール側コネクタ部３１の被ロック部３４が衣服側コネクタ部１１のロック部１４のロック面２０に接触して、モジュール側コネクタ部３１を衣服側コネクタ部１１に嵌合させることができる。このため、ウエアラブルデバイスの小型化および薄型化が達成されると共に、従来のスナップボタン型コネクタのように衣服の上から身体に向かってスナップボタンを強く押し付ける必要がなく、コネクタの接続時に身体にかかる負荷を軽減することが可能となる。
【００３５】
また、衣服側コネクタ部１１の第１接点部１３が、接触面１３Ｃに連続する傾斜面１３Ｄを有しているので、衣服側コネクタ部１１とモジュール側コネクタ部３１の嵌合時に、モジュール側コネクタ部３１の第２接点部３３が、衣服側コネクタ部１１の第１接点部１３の傾斜面１３Ｄに対してワイピングしながら接触して接触面１３Ｃに至ることとなる。このため、第１接点部１３と第２接点部３３の間で異物による導通不良を引き起こすおそれを効果的に回避することができる。
【００３６】
実施の形態２
上記の実施の形態１では、モジュール側コネクタ部３１のバネ状の第２接点部３３がモジュール側コネクタ本体３２の裏面３２Ｂから突出し、これに対応して、衣服側コネクタ部１１の第１接点部１３の接触面１３Ｃがベース部材１５の表面１５Ａとほぼ同一高さを有すると共に平坦面１３Ｅがベース部材１５の表面１５Ａよりも裏面１５Ｂ側に下がった位置に位置しているが、これに限るものではない。
【００３７】
図２０に実施の形態２に係るスライド型コネクタの衣服側コネクタ部４１の第１接点部１３を示す。第１接点部１３は、実施の形態１で用いられたものと同一であるが、第１接点部１３の接触面１３Ｃがベース部材４５の表面４５Ａよりも高い位置に位置し、接触面１３Ｃに連続する傾斜面１３Ｄが接触面１３Ｃから平坦面１３Ｅに向かうほど低くなるように傾斜し、傾斜面１３Ｄに連続する平坦面１３Ｅがベース部材４５の表面４５Ａとほぼ同一高さに配置されている。
このようなベース部材４５に対する第１接点部１３の配置高さ以外は、衣服側コネクタ部４１は、実施の形態１における衣服側コネクタ部１１と同様の構成を有している。
【００３８】
実施の形態２に係るスライド型コネクタのモジュール側コネクタ部５１は、図２１および図２２に示されるように、モジュール側コネクタ本体５２の裏面５２Ｂに環状の溝５２Ｃが形成され、複数のバネ状の第２接点部３３が、溝５２Ｃ内に配置され、溝５２Ｃの底面から突出するものの、モジュール側コネクタ本体５２の裏面５２Ｂからは突出しないような高さに配置されている。
モジュール側コネクタ本体５２が溝５２Ｃを有する点およびモジュール側コネクタ本体５２に対する第２接点部３３の配置高さ以外は、モジュール側コネクタ部５１は、実施の形態１におけるモジュール側コネクタ部３１と同様の構成を有している。
【００３９】
衣服側コネクタ部４１にモジュール側コネクタ部５１を嵌合する際には、まず、衣服側コネクタ部４１とモジュール側コネクタ部５１とを位置合わせする。これにより、図２３に示されるように、モジュール側コネクタ部５１のそれぞれのバネ状の第２接点部３３が、衣服側コネクタ部４１の対応する第１接点部１３の平坦面１３Ｅの直上に位置する。
【００４０】
次に、モジュール側コネクタ部５１を移動させて衣服側コネクタ部４１に重ね合わせる。このとき、図２４に示されるように、第１接点部１３の接触面１３Ｃがモジュール側コネクタ本体５２の溝５２Ｃに挿入され、第１接点部１３の平坦面１３Ｅはベース部材４５の表面４５Ａとほぼ同一高さに位置しているが、モジュール側コネクタ部５１の第２接点部３３がモジュール側コネクタ本体５２の裏面５２Ｂから下方に突出していないので、第２接点部３３は、第１接点部１３の平坦面１３Ｅに近接するものの接触しない状態、あるいは、第１接点部１３の平坦面１３Ｅに接触したとしても、第２接点部３３が弾性変形しない程度に微かに接触する状態となる。
【００４１】
衣服側コネクタ部４１に対しモジュール側コネクタ部５１を嵌合面に沿って回転スライドさせることにより、図２５に示されるように、モジュール側コネクタ部５１のバネ状の第２接点部３３が衣服側コネクタ部４１の第１接点部１３の傾斜面１３Ｄ上に至ると、傾斜面１３Ｄが平坦面１３Ｅから接触面１３Ｃに向かうほど高くなるように傾斜しているので、バネ状の第２接点部３３は第１接点部１３の傾斜面１３Ｄに接触して次第に弾性変形することとなる。
【００４２】
さらに、モジュール側コネクタ部５１を回転スライドさせると、図２６に示されるように、モジュール側コネクタ部５１のバネ状の第２接点部３３が衣服側コネクタ部４１の第１接点部１３の傾斜面１３Ｄから接触面１３Ｃに移動し、弾性変形して第１接点部１３の接触面１３Ｃに所定の接触圧で接触する。これにより、衣服側コネクタ部４１の複数の第１接点部１３とモジュール側コネクタ部５１の複数の第２接点部３３は、互いに電気導通し、衣服側コネクタ部４１とモジュール側コネクタ部５１は嵌合状態となる。
【００４３】
このように、モジュール側コネクタ部５１の複数のバネ状の第２接点部３３がモジュール側コネクタ本体５２の裏面５２Ｂから突出しない構成としても、実施の形態１と同様に、モジュール側コネクタ部５１を衣服側コネクタ部４１に対して回転スライドさせるだけで衣服側コネクタ部４１に嵌合させることができ、ウエアラブルデバイスの小型化および薄型化が達成されると共に、コネクタの接続時に身体にかかる負荷を軽減することが可能となる。
なお、上記の実施の形態１および２において、第１接点部１３および第２接点部３３は、図示された個数に限定されるものではなく、複数の第１接点部１３および複数の第２接点部３３を備えていればよい。
また、上記の実施の形態１および２では、複数の第１接点部１３および複数の第２接点部３３が、円を描くように配列されているが、円の一部である円弧を描くように配列されていてもよい。
【００４４】
実施の形態３
上記の実施の形態１および２では、衣服側コネクタ部１１、４１に対してモジュール側コネクタ部３１、５１を回転スライドさせることで嵌合状態としているが、これに限るものではない。
図２７に実施の形態３に係るスライド型コネクタの構成を示す。このスライド型コネクタは、衣服に取り付けられる衣服側コネクタ部６１と、衣服側コネクタ部６１に対して直線的にスライドさせることで嵌合するモジュール側コネクタ部７１を備えている。
【００４５】
衣服側コネクタ部６１は、矩形の衣服側コネクタ本体６２と、衣服側コネクタ本体６２に直線状に配列された複数の板状の第１接点部６３と、衣服側コネクタ本体６２に形成された複数のロック部６４を有している。
衣服側コネクタ本体６２は、矩形の板状のベース部材６５と、ベース部材６５の表面６５Ａの外縁に取り付けられている矩形の枠形状の枠部材６６から形成されている。枠部材６６の中央に矩形の開口部６７が形成され、複数の第１接点部６３は、それぞれ一部が枠部材６６の開口部６７を通してベース部材６５の表面６５Ａ上に露出している。また、複数のロック部６４は、複数の第１接点部６３よりも衣服側コネクタ部６１の外縁側に位置し、枠部材６６の内周縁に沿って配列されている。
【００４６】
それぞれの第１接点部６３は、実施の形態１における第１接点部１３と同様に、接触面と、接触面に連続する傾斜面と、傾斜面に連続する平坦面を有し、これらの接触面、傾斜面および平坦面がベース部材６５の表面６５Ａ上に露出している。また、第１接点部６３は、ベース部材６５の表面６５Ａの外縁に突出して枠部材６６により覆われる外部接続部を有している。
枠部材６６には、開口部６７に向かって開くように形成された複数の切り欠き６９が配列されており、それぞれの切り欠き６９に隣接する位置に図示しないロック面が形成されている。
【００４７】
モジュール側コネクタ部７１は、矩形の箱状のモジュール側コネクタ本体７２と、それぞれモジュール側コネクタ本体７２の裏面から突出する複数の図示しないバネ状の第２接点部と、それぞれモジュール側コネクタ本体７２から側方に突出する複数の板状の被ロック部７４を有している。
複数の図示しない第２接点部は、衣服側コネクタ部６１の複数の第１接点部６３に対応して配列されており、それぞれ、モジュール側コネクタ本体７２の裏面に直交する方向に変位可能に形成されている。
【００４８】
このようなモジュール側コネクタ部７１を衣服側コネクタ部６１に重ね合わせ、図２８に示されるように、衣服側コネクタ部６１の複数の切り欠き６９にモジュール側コネクタ部７１の複数の被ロック部７４を挿入して、モジュール側コネクタ部７１を第１の位置Ｐ１に位置させる。このとき、モジュール側コネクタ部７１の第２接点部は、衣服側コネクタ部６１の第１接点部６３の平坦面に対向した状態にあり、まだ、衣服側コネクタ部６１の第１接点部６３に接続されていない。
【００４９】
図２９に示されるように、モジュール側コネクタ部７１を衣服側コネクタ部６１に対して第１の位置Ｐ１から直線的にスライドさせると、モジュール側コネクタ部７１のバネ状の第２接点部が、衣服側コネクタ部６１の第１接点部６３の傾斜面に向かって移動する。さらに、モジュール側コネクタ部７１を直線的にスライドさせて、図３０に示されるように、第２の位置Ｐ２まで移動させると、モジュール側コネクタ部７１のバネ状の第２接点部が弾性変形して衣服側コネクタ部６１の第１接点部６３の接触面に所定の接触圧で接触する。これにより、衣服側コネクタ部６１の複数の第１接点部６３とモジュール側コネクタ部７１の複数の第２接点部は、互いに電気導通し、衣服側コネクタ部６１とモジュール側コネクタ部７１は嵌合状態となる。
【００５０】
また、モジュール側コネクタ部７１が第２の位置Ｐ２に位置すると、モジュール側コネクタ部７１の被ロック部７４が、衣服側コネクタ部６１のロック面とベース部材６５の表面６５Ａとの間に形成されているロック部６４に挿入され、衣服側コネクタ部６１とモジュール側コネクタ部７１の嵌合状態がロックされる。
【００５１】
このように、モジュール側コネクタ部７１を衣服側コネクタ部６１に対して直線的にスライドさせる構成としても、実施の形態１および２と同様に、モジュール側コネクタ部７１を衣服側コネクタ部６１に対してスライドさせるだけで衣服側コネクタ部６１に嵌合させることができ、ウエアラブルデバイスの小型化および薄型化が達成されると共に、コネクタの接続時に身体にかかる負荷を軽減することが可能となる。
なお、衣服側コネクタ部６１およびモジュール側コネクタ部７１は、それぞれ複数の第１接点部６３および複数の第２接点部を有していればよく、第１接点部６３および第２接点部の個数に限定されるものではない。
【符号の説明】
【００５２】
１  第１の布、２  雄型スナップボタン、３  第２の布、４  雌型スナップボタン、５  凸部、６  凹部、７  棒状ばね、１１，４１，６１  衣服側コネクタ部、１２，６２  衣服側コネクタ本体、１３，６３  第１接点部、１３Ａ  周方向伸長部、１３Ｂ  径方向伸長部、１３Ｃ  接触面、１３Ｄ  傾斜面、１３Ｅ  平坦面、１３Ｆ  外部接続部、１４，６４  ロック部、１５，４５，６５  ベース部材、１５Ａ，１６Ａ，３２Ａ，４５Ａ，６５Ａ  表面、１５Ｂ，１６Ｂ，３２Ｂ，４５Ｂ，５２Ｂ  裏面、１６，６６  枠部材、１７，６７  開口部、１８  突起、１９，６９  切り欠き、２０  ロック面、２１  第1の嵌合孔、２２  第２の嵌合孔、２３  開口部、２４  配線部、２５  段差、３１，５１，７１  モジュール側コネクタ部、３２，５２，７２  モジュール側コネクタ本体、３３  第２接点部、３４，７４  被ロック部、３５  つまみ、５２Ｃ  溝、Ｃ  布、Ｐ１  第１の位置、Ｐ２  第２の位置。
【図１】
0006734676.tif 000002
【図２】
0006734676.tif 000003
【図３】
0006734676.tif 000004
【図４】
0006734676.tif 000005
【図５】
0006734676.tif 000006
【図６】
0006734676.tif 000007
【図７】
0006734676.tif 000008
【図８】
0006734676.tif 000009
【図９】
0006734676.tif 000010
【図１０】
0006734676.tif 000011
【図１１】
0006734676.tif 000012
【図１２】
0006734676.tif 000013
【図１３】
0006734676.tif 000014
【図１４】
0006734676.tif 000015
【図１５】
0006734676.tif 000016
【図１６】
0006734676.tif 000017
【図１７】
0006734676.tif 000018
【図１８】
0006734676.tif 000019
【図１９】
0006734676.tif 000020
【図２０】
0006734676.tif 000021
【図２１】
0006734676.tif 000022
【図２２】
0006734676.tif 000023
【図２３】
0006734676.tif 000024
【図２４】
0006734676.tif 000025
【図２５】
0006734676.tif 000026
【図２６】
0006734676.tif 000027
【図２７】
0006734676.tif 000028
【図２８】
0006734676.tif 000029
【図２９】
0006734676.tif 000030
【図３０】
0006734676.tif 000031
【図３１】
0006734676.tif 000032